(57)【特許請求の範囲】
【請求項１】
一対の搬送ローラを備え、前記両搬送ローラによって記録用紙を挟持して回転することにより前記記録用紙を搬送する搬送部と、
回転により、前記記録用紙を排紙方向に搬送する排紙ローラを備えた排紙部と、
前記搬送部および前記排紙部の間に装着され、インクリボンが収納されたリボンカセットと、
前記搬送部から前記リボンカセットにおけるケースの一面を介して前記排紙部にいたる前記記録用紙の搬送経路と、
前記搬送経路を介して前記ケースの一面に対向して配置され、前記記録用紙が前記両搬送ローラの挟持から外れたときに、前記記録用紙の端部を支持する用紙ガイドとを有し、
前記用紙ガイドの前記搬送部側の先端部分に、前記排紙部によって搬送される前記記録用紙を湾曲しない状態で支持する傾斜部を設け、
前記排紙部における前記搬送経路を介して前記排紙ローラに対向する側であって、前記搬送経路上において前記排紙ローラの対向位置から前記排紙方向における下流側にずれた位置に、前記記録用紙を案内する排紙ガイドを設け、
前記排紙ガイドを、前記排紙ガイドの外周面が前記排紙ローラの外周面と離間する位置に設け、
前記傾斜部を、前記排紙ローラおよび前記排紙ガイドによって案内された前記記録用紙を湾曲しない状態で支持する形状に形成することを特徴とする記録装置の排紙機構。
【請求項２】
前記搬送部は、前記記録用紙を前記排紙方向に搬送するとともに、前記排紙方向と逆方向の給紙方向に前記記録用紙を搬送する機能を備えたことを特徴とする請求項１に記載の記録装置の排紙機構。
【請求項３】
前記排紙ローラは、前記記録用紙を前記排紙方向に搬送するとともに、用紙トレイに収納された前記記録用紙を、前記給紙方向に搬送し、前記用紙ガイドを介して前記搬送部に供給する給紙機能を備えており、
前記傾斜部における前記搬送部側の先端縁の仮想延長線が、前記両搬送ローラのうち、前記搬送経路に対して前記用紙ガイドの配置位置と同じ側に配置された一方の搬送ローラの前記用紙ガイドに対向する外周面のうち、前記一方の搬送ローラの鉛直方向における中間部よりも上側に当接することを特徴とする請求項２に記載の記録装置の排紙機構。
【発明の詳細な説明】
【技術分野】
【０００１】
本発明は、記録装置の記録部において記録が行われた記録用紙を、記録装置の外部方向である排紙方向に搬送する記録装置の排紙機構に関する。
【背景技術】
【０００２】
近年、例えばフォトプリンタ等の記録装置には、小型化、薄型化が求められているとともに、記録を完了して記録装置から排出される記録用紙が極力平坦な状態であることが望まれている。
【０００３】
ここで、例えば特許文献１に記載の記録装置に用いられるインクリボンカセットは、リボン引き出し口近傍にインクリボン引き出し方向に突出して形成された突出部を有し、突出部の頂部からインクリボンの供給コアおよび巻取コアを収納する本体部の底面側には、テーパ状または湾曲状の壁部が形成されている。そして、このリボンカセットは、排紙時に前記壁部によって記録用紙を案内するようになっている。このように、リボンカセットを記録用紙搬送用のガイドとして機能させることによって、排紙機構の小型化、薄型化を図ることができるようになっている。
【０００４】
また、例えば特許文献２に記載の記録装置は、記録媒体を１枚ずつ分離して給紙するピックアップローラと、このピックアップローラを記録媒体に対して接離可能に支持する支持部材とを有している。そして、この記録装置は、記録用紙の排紙時に、支持部材によってピックアップローラを記録用紙から離間して待避させることにより、記録用紙を湾曲させることなく搬送するようになっている（特許文献２の明細書における段落００３５）。
【先行技術文献】
【特許文献】
【０００５】
【特許文献１】特開２００１−１５０７７６号公報
【特許文献２】特開２００４−７５２１４号公報
【発明の概要】
【発明が解決しようとする課題】
【０００６】
しかし、前記特許文献１に記載のインクリボンカセットによれば、インクリボンカセットのケースに沿って記録用紙が搬送されるようになっており、記録用紙が大きく湾曲してしまうために記録用紙とインクリボンカセットとの摩擦が大きくなり、排紙できないおそれがあるという問題を有していた。
【０００７】
また、前記特許文献２に記載の記録装置によれば、ピックアップローラを記録用紙から離間して待避させるために支持部材を設ける必要があり、記録装置の構造が複雑化するとともに、支持部材を配置するためのスペースも必要となり、小型化、薄型化が困難となってしまうという問題を有していた。
【０００８】
本発明はこれらの点に鑑みてなされたものであり、記録装置の小型化、薄型化を図ることができるとともに、排出される記録用紙の湾曲状態を低減、防止することにより排紙性能が向上した記録装置の排紙機構を提供することを目的とする。
【課題を解決するための手段】
【０００９】
前記目的を達成するため、本発明に係る記録装置の排紙機構の特徴は、一対の搬送ローラを備え、前記両搬送ローラによって記録用紙を挟持して回転することにより前記記録用紙を搬送する搬送部と、回転により、前記記録用紙を排紙方向に搬送する排紙ローラを備えた排紙部と、前記搬送部および前記排紙部の間に装着され、インクリボンが収納されたリボンカセットと、前記搬送部から前記リボンカセットにおけるケースの一面を介して前記排紙部にいたる前記記録用紙の搬送経路と、前記搬送経路を介して前記ケースの一面に対向して配置され、前記記録用紙が前記両搬送ローラの挟持から外れたときに、前記記録用紙の端部を支持する用紙ガイドとを有し、前記用紙ガイドの前記搬送部側の先端部分に、前記排紙部によって搬送される前記記録用紙を湾曲しない状態で支持する傾斜部を設け、前記排紙部における前記搬送経路を介して前記排紙ローラに対向する側であって、前記搬送経路上において前記排紙ローラの対向位置から前記排紙方向における下流側にずれた位置に、前記記録用紙を案内する排紙ガイドを設け、前記排紙ガイドを、前記排紙ガイドの外周面が前記排紙ローラの外周面と離間する位置に設け、前記傾斜部を、前記排紙ローラおよび前記排紙ガイドによって案内された前記記録用紙を湾曲しない状態で支持する形状に形成する点にある。
【００１０】
この本発明に係る記録装置の排紙機構によれば、記録用紙が搬送部における両搬送ローラの挟持から外れると、記録用紙の排紙方向における後端部分が用紙ガイドの傾斜部によって湾曲しない状態で支持されることとなるので、記録用紙を排紙ローラによって極力平坦な状態で搬送し、排出することができる。また、本発明に係る記録装置の排紙機構は、例えば、従来の特許文献２に記載のプリンタのように、記録用紙が湾曲しない状態で搬送するために、ピックアップローラを記録用紙から離間して待避させるための支持部材等の他の部品を設けることなく、記録用紙を極力平坦な状態で搬送することができる。
【００１１】
また、本発明に係る記録装置の排紙機構によれば、記録用紙が排紙ローラおよび排紙ガイドに強い力によって挟持されることがないので、排紙機構は、記録用紙に負荷をかけずに記録用紙上の画像の記録の品質を低下させることなく、記録用紙を案内することができる。
【００１２】
本発明に係る記録装置の排紙機構の他の特徴は、前記搬送部が、前記記録用紙を前記排紙方向に搬送するとともに、前記排紙方向と逆方向の給紙方向に前記記録用紙を搬送する機能を備えた点にある。これにより、本発明に係る記録装置の排紙機構は、複数色のインクを順次転写してカラー画像の記録を行う記録装置に用いることができる。このような記録装置に用いられた排紙機構は、記録用紙の後端部分を傾斜部によって支持することにより、記録用紙が湾曲してしまうことを低減、防止して、排紙機能の向上を図ることができる。
【００１３】
本発明に係る記録装置の排紙機構の他の特徴は、前記排紙ローラは、前記記録用紙を前記排紙方向に搬送するとともに、用紙トレイに収納された前記記録用紙を、前記給紙方向に搬送し、前記用紙ガイドを介して前記搬送部に供給する給紙機能を備えており、前記傾斜部における前記搬送部側の先端縁の仮想延長線が、前記両搬送ローラのうち、前記搬送経路に対して前記用紙ガイドの配置位置と同じ側に配置された一方の搬送ローラの前記用紙ガイドに対向する外周面のうち、前記一方の搬送ローラの鉛直方向の中間部よりも上側に当接する点にある。これにより、排紙機構は、排紙ローラによって記録用紙を用紙ガイドを介して搬送部に供給する際、例えば、前記記録用紙の給紙方向における先端部分が下方向に湾曲してしまっているような場合に、この記録用紙の先端部分が一方の搬送ローラの回転によって、一方の搬送ローラの下側に巻き込まれてしまうことを防止することができ、排紙機能の向上を図ることができる。
【発明の効果】
【００１４】
以上述べたように、本発明に係る記録装置の排紙機構によれば、構造を複雑化することなく小型化、薄型化を図ることができるとともに、記録装置から排出される記録用紙の湾曲状態を低減、防止することにより安定した排紙が可能となり排紙性能を向上させることが可能である。
【図面の簡単な説明】
【００１５】
【図１】本発明に係る記録装置の排紙機構における搬送部による記録用紙の搬送時の一実施形態を示す縦断面側面図
【図２】図１に記載の記録装置の排紙機構における排紙部による記録用紙の搬送時の一実施形態を示す縦断面側面図
【発明を実施するための形態】
【００１６】
以下、本発明に係る記録装置の排紙機構の一実施形態を図１および図２を参照して説明する。
【００１７】
図１および図２に示すように、本実施形態に係る記録装置１の排紙機構２は、記録用紙３を搬送する搬送部５を有しており、本実施形態において、搬送部５は、記録装置１における記録を行う記録部６の近傍に配置されている。
【００１８】
記録部６は、プラテン７と、このプラテン７に対向して配置され、プラテン７に対して接離可能に設けられた記録ヘッド８とを有している。記録部６は、加熱された記録ヘッド８を記録用紙３および図示しないインクリボンを介してプラテン７に圧接することにより、インクリボンのインクを記録用紙３に転写して文字や図形等の所望の画像を記録するようになっている。本実施形態においては、記録装置１として、複数色のインクを順次転写することにより、文字や図形等のカラー画像を記録する記録装置１を用いて説明する。このような記録装置１は、記録用紙３を記録装置１の外部に排出する排紙方向に搬送された記録用紙３が、再度、記録部６に記録用紙３を供給する給紙方向に搬送されるようになっている。
【００１９】
搬送部５は、一対の搬送ローラ１０、１１として、回転可能に支持された駆動ローラ１０と、駆動ローラ１０に圧接するように回転自在に支持された圧接ローラ１１とを有しており、本実施形態において、駆動ローラ１０および圧接ローラ１１は、図１、図２において上下方向（鉛直方向）に並列して配置されている。駆動ローラ１０は、図示しない駆動装置によって正逆の両方向に回転駆動可能とされており、圧接ローラ１１は、駆動ローラ１０の回転駆動に従動して回転するようになっている。そして、搬送部５は、駆動ローラ１０および圧接ローラ１１によって記録用紙３を挟持し、駆動ローラ１０の回転駆動によって記録用紙３を排紙方向および給紙方向に搬送するようになっている。
【００２０】
搬送部５の排紙方向の下流側には、記録用紙３を排紙方向に搬送する排紙ローラ１５を有する排紙部１３が設けられており、排紙ローラ１５は、図示しない駆動装置によって一方向に回転駆動可能とされている。また、排紙部１３における排紙ローラ１５の下方には、記録用紙３を収納する用紙トレイ２５が配設されており、用紙トレイ２５のトレイプレート２６は、用紙トレイ２５に収納された記録用紙３が排紙ローラ１５に圧接する位置と圧接しない位置とに上下方向に移動可能に設けられている。そして、排紙機構２は、用紙トレイ２５に収納された記録用紙３が排紙ローラ１５に圧接しない位置にトレイプレート２６を移動させた状態で、排紙ローラ１５を回転駆動することにより、搬送部３によって排紙方向に搬送された記録用紙３をさらに排紙方向に搬送するようになっている。また、排紙機構２は、用紙トレイ２５に収納された記録用紙３が排紙ローラ１５に圧接する位置にトレイプレート２６を移動させた状態で、排紙ローラ１５を回転駆動することにより、この記録用紙３を給紙方向に搬送して搬送部５に供給するようになっている。このように、本実施形態において排紙ローラ１５は、記録用紙３を排紙方向に搬送するとともに、用紙トレイ２５に収納された記録用紙３を給紙方向に搬送して搬送部５に供給する給紙機能を備えている。
【００２１】
また、搬送部５および排紙部１３の間には、インクリボンが収納されたリボンカセット１７が装着されるようになっており、本実施形態においては、リボンカセット１７のうちインクリボンの巻取コア１８が収納された部分が、搬送部５および排紙部１３の間に装着されるようになっている。
【００２２】
そして、搬送部５からリボンカセット１７のケース１９の一面を介して排紙部１３にいたる部分が、記録用紙３の搬送経路２１とされている。本実施形態において、搬送経路２１は、図１に示すように、記録用紙３が搬送部５において駆動ローラ１０および圧接ローラ１１によって挟持されている状態では、搬送部５からリボンカセット１７のケース１９の一面までがほぼ水平であり、その後、リボンカセット１７のケース１９の一面から排紙部１３に向かって徐々に上昇し、排紙ローラ１５の上側を通ることとなる。また、搬送経路２１は、図２に示すように、記録用紙３が駆動ローラ１０および圧接ローラ１１の挟持から外れた状態では、搬送部５側からリボンカセット１７のケース１９の一面を介し排紙部１３に向かって徐々に上昇して、排紙ローラ１５の上側を通ることとなる。さらに、搬送経路２１は、用紙トレイ２５に収納された記録用紙３が排紙ローラ１５によって給紙方向に搬送される際には、排紙ローラ１５の下側からリボンカセット１７のケース１９の一面を介して駆動ローラ１０および圧接ローラ１１の間に至ることとなる。
【００２３】
搬送経路２１を介してリボンカセット１７のケース１９の一面に対向する位置には、記録用紙３が駆動ローラ１０および圧接ローラ１１の挟持から外れたときに、記録用紙３を支持する記録用紙３を支持する用紙ガイド２２が配設されている。また、用紙トレイ２５に収納された記録用紙３が排紙ローラ１５によって給紙方向に搬送されて搬送部５に供給される際には、記録用紙３は、排紙ローラ１５の下側から用紙ガイド２２とリボンカセット１７のケース１９との間を通って搬送部５に供給されるようになっており、用紙ガイド２２は、記録用紙３を搬送部５に案内するようになっている。
【００２４】
用紙ガイド２２における搬送部５側の先端部分には、排紙部１３によって排出される記録用紙３の排紙方向における後端部分を湾曲しない状態で支持する傾斜部２３が設けられている。本実施形態においては、図２に示すように、記録用紙３が駆動ローラ１０および圧接ローラ１１の挟持を外れた状態において、搬送部５側からリボンカセット１７のケース１９の一面を介して排紙部１３に向かって上昇する搬送経路２１によって搬送される記録用紙３が湾曲しない状態となるように、傾斜部２３は搬送部５に向かって下降する角度に形成されている。
【００２５】
また、本実施形態においては、駆動ローラ１０および圧接ローラ１１のうちの駆動ローラ１０が、搬送経路２１に対して用紙ガイド２２の配置位置と同じ側に配置されている。そして、傾斜部２３における搬送部５側の先端縁の仮想延長線Ｌは、駆動ローラ１０における用紙ガイド２２に対向する外周面のうち、駆動ローラ１０の鉛直方向における中間部よりも上側に当接するようになっている。なお、本実施形態においては、駆動ローラ１０および圧接ローラ１１が鉛直方向に並列配置されているが、本発明はこれに限定されるものではない。このように、駆動ローラ１０および圧接ローラ１１が正確に鉛直方向に並列配置されていない場合であっても、用紙ガイド２２における傾斜部２３の仮想延長線Ｌは、搬送経路２１に対して用紙ガイド２５の配置位置と同じ側に配置された一方の搬送ローラ（駆動ローラ１０または圧接ローラ１１）の鉛直方向の中間部よりも上側に当接するようになっていればよい。また、本実施形態においては、排紙ローラ１５の回転駆動によって、用紙トレイ２５に収納された記録用紙３を用紙ガイド２２を介して搬送部５に供給するようになっているが、本発明はこれに限定されず、例えば、排紙ローラ１５とは異なる搬送手段によって、用紙トレイ２５に収納された記録用紙３を搬送部５に供給してもよく、また、記録用紙３を用紙ガイド２２を介さないで搬送部５に供給するものであってもよい。
【００２６】
排紙部１３は、搬送経路２１を介して排紙ローラ１５に対向する側であって、搬送経路２１上において排紙ローラ１５の対向位置から排紙方向における下流側にずれた位置に配設された排紙ガイド２０を有しており、この排紙ガイド２０は、記録用紙３に接触して、排紙部１３の排紙方向に配設された用紙トレイ２５の上部に記録用紙３が載置されるように、記録用紙３を案内するようになっている。排紙ガイド２０は、回転自在に支持されたローラによって構成されており、記録用紙３の搬送に従動して回転するとともに、搬送経路２１に対して接離可能に設けられている。
【００２７】
次に、本実施形態の作用について説明する。
【００２８】
本実施形態に係る記録装置１の排紙機構２は、まず、用紙トレイ２５に収納された記録用紙３が排紙ローラ１５に圧接する位置に用紙トレイ２５のトレイプレート２６を移動させて、排紙ローラ１５を所定の一方向（図１および図２においては反時計まわり方向）に回転駆動することにより、用紙トレイ２５に収納された記録用紙３を給紙方向に搬送して用紙ガイド２２を介して搬送部５に供給する。さらに、排紙機構２は、駆動ローラを所定の他方向（図１および図２においては時計回り方向）に回転駆動させる。このとき、記録用紙３の給紙方向における先端部は、傾斜部２３の先端縁の仮想延長線Ｌが駆動ローラ１０における用紙ガイド２２に対向する外周面のうち駆動ローラ１０の鉛直方向における中間部よりも上側に当接するように設けられた用紙ガイド２２に案内されて、駆動ローラ１０の鉛直方向における中間部よりも上側に接触し、他方向に回転する駆動ローラ１０に案内されて、搬送部５における駆動ローラ１０と圧接ローラ１１との圧接位置に到達する。
【００２９】
次に、排紙機構２は、排紙ローラ１５によって給紙方向に搬送された記録用紙３が搬送部５における駆動ローラ１０と圧接ローラ１１との圧接位置に到達すると、駆動ローラ１０および圧接ローラ１１によって記録用紙３を挟持し、駆動ローラの所定の他方向の回転駆動によって、記録用紙３を給紙方向に搬送して記録部６に位置させる。そして、排紙機構２は、記録用紙３が記録部６における所定の位置に搬送されると、駆動ローラ１０を所定の一方向（図１および図２においては反時計回り方向）に回転駆動させることにより、搬送部５によって記録用紙３を排紙方向に搬送する。また、排紙機構２は、用紙トレイ２５に収納された記録用紙３が排紙ローラ１５に圧接しない位置に用紙トレイ２５のトレイプレート２６を移動させて、排紙ローラ１５を所定の一方向に回転駆動させることにより、排紙部３に搬送された記録用紙３を搬送部５とともにさらに排紙方向に搬送する。
【００３０】
ここで、１色のインクの転写が終了した後、記録部６において他の１色のインクの転写を行う場合には、駆動ローラ１０を前記他方向に回転駆動させることにより、記録用紙３が記録部６に位置するように、記録用紙３を給紙方向に搬送する。このとき、排紙機構２は、排紙ローラ１５の前記一方向への回転駆動を停止して、記録用紙３の給紙方向への搬送に従動して回転することにより、記録用紙３の給紙方向への搬送をガイドする給紙ガイドとして機能する。そして、排紙機構２は、記録部６における記録動作が再度開始すると、前述のように、駆動ローラ１０の所定の一方向の回転駆動によって、搬送部５によって記録用紙３を排紙方向に搬送する。これとともに、排紙機構２は、記録用紙３が排紙部１３に到達すると、排紙ローラ１５の所定の一方向への回転駆動によって搬送部５とともに排紙部１３により記録用紙３を排紙方向に搬送しながら、排紙ガイド２０によって記録用紙３を用紙トレイ２５の上方に案内する。
【００３１】
さらに、全ての色のインクの転写が終了し、搬送部５によって排紙方向に搬送された記録用紙３が、図２に示すように、駆動ローラ１０および圧接ローラ１１による挟持から外れると、記録用紙３の排紙方向における後端部分は、用紙ガイド２２に支持されることとなる。このとき、記録用紙３は、湾曲しない状態で支持する用紙ガイド２２の傾斜部２３によって支持されるので、排紙機構２は、排紙ローラ１５によって記録用紙３を排紙方向に搬送する際に、記録用紙３を極力平坦状に搬送することが可能となる。
【００３２】
このように、本実施形態に係る記録装置１の排紙機構２によれば、記録用紙３が駆動ローラ１０および圧接ローラ１１の挟持から外れると、記録用紙３の後端部分が用紙ガイド２２の傾斜部２３によって湾曲しない状態で支持されることとなるので、記録用紙３を排紙ローラ１５によって極力平坦な状態で搬送し、用紙トレイ２５の上部に排出することができる。また、本実施形態に係る記録装置１の排紙機構２は、例えば従来の特許文献２に記載のプリンタのように、記録用紙３を極力平坦な状態で搬送するために、ピックアップローラを記録用紙３から離間して待避させるための支持部材等の他の部品を設けることなく、記録用紙３を平坦な状態で搬送することができる。
【００３３】
したがって、本実施形態に係る記録装置１の排紙機構２は、構造を複雑化することなく小型化、薄型化を図ることができるとともに、用紙トレイ２５の上部に排出される記録用紙３の湾曲状態を低減、防止することができる。
【００３４】
また、排紙機構２は、搬送部５が、記録用紙３を排紙方向に搬送するとともに、給紙方向に搬送する機能を備えることにより、複数色のインクを順次転写してカラー画像の記録を行う記録装置１に用いることができる。このような記録装置１に用いられた排紙機構２は、記録用紙３の後端部分を傾斜部２３によって支持することにより、記録用紙３が湾曲してしまうことを低減、防止して、排紙機能の向上を図ることができる。なお、本発明に係る記録装置１の排紙機構２は、搬送部５が、供給機能を有さず排紙機能のみを有し、排紙ローラ１５が給紙ガイド機能を有さないものであっても、本実施形態と同様に、記録用紙３が湾曲状になってしまうことを低減、防止することができる。
【００３５】
さらに、排紙部１３における搬送経路２１を介して排紙ローラ１５に対向する側であって、搬送経路２１上において排紙ローラ１５の対向位置からずれた位置に排紙ガイドを設けることにより、記録用紙３は排紙ローラ１５および排紙ガイド２０に強い力で挟持されることがないので、排紙機構２は、記録用紙３に負荷をかけることなく記録用紙３を案内することができる。これにより、排紙機構２は、記録用紙３上の画像の記録の品質を低下させることなく、記録用紙３を案内することができる。また、排紙ガイド２０を記録用紙３の搬送に従動して回転するローラによって構成することにより、搬送される記録用紙３に負荷をかけることなく記録用紙３を用紙トレイ２５の上方に案内することができる。さらに、排紙機構２は、排紙ガイド２０を搬送経路２１に対して接離可能に設けることにより、排紙ガイド２０が記録用紙３に接触することによって、記録用紙３上の画像にすじ等の不具合が発生してしまうおそれがある場合には、排紙方向を搬送経路２１に対して離間する方向に移動してガイドすることができ、これにより、記録用紙３への負荷を低減することができる。
【００３６】
なお、本実施形態において排紙ガイド２０はローラによって構成されているが、本発明に係る記録装置１の排紙機構２において、排紙ガイド２０の構成は本実施形態に限定されるものではない。例えば、排紙ガイドとして、回動軸によって回動可能に軸支された支持部と、支持部の端部に連設され記録用紙３に接触する曲面部とを有し、支持部および曲面部が、回動軸を中心として記録用紙３の排紙方向および給紙方向に回動自在となる構成であってもよい。これにより、排紙ガイドは、搬送される記録用紙３に負荷をかけることなく記録用紙３を用紙トレイ２５の上方に案内することができる。
【００３７】
また、本実施形態においては、排紙ローラ１５が、記録用紙３を排紙方向に搬送するとともに、用紙トレイ２５に収納された記録用紙３を、給紙方向に搬送して用紙ガイド２２を介して搬送部５に供給する給紙機能を備え、傾斜部２３における搬送部５側の先端縁の仮想延長線Ｌを、駆動ローラ１０の用紙ガイド２２に対向する外周面のうち駆動ローラ１０の鉛直方向の中間部よりも上側に当接させるようになっている。これにより、排紙機構２は、排紙ローラ１５によって記録用紙３を用紙ガイド２２を介して搬送部５に供給する際に、記録用紙３の給紙方向における先端部分が下方向に湾曲してしまっているような場合等に、この記録用紙３の先端部分が駆動ローラ１０の回転によって、駆動ローラ１０の下側に巻き込まれてしまうことを防止することができ、排紙機能２の向上を図ることができる。また、排紙ローラ１５が、用紙トレイ２５に収納された記録用紙３を搬送部５に供給する給紙機能を兼ね備えることにより、部品点数の低減を図ることができ、記録装置の小型化を図ることができる。
【００３８】
なお、本発明は前記実施形態に限定されるものではなく、必要に応じて種々変更することが可能である。
【符号の説明】
【００３９】
１  記録装置
２  排紙機構
３  記録用紙
５  搬送部
６  記録部
７  プラテン
８  記録ヘッド
１０  搬送ローラ（駆動ローラ）
１１  搬送ローラ（圧接ローラ）
１３  排紙部
１５  排紙ローラ
１７  リボンカセット
１８  巻取コア
１９  ケース
２０  排紙ガイド
２１  搬送経路
２２  用紙ガイド
２３  傾斜部
２５  用紙トレイ
【図１】
0005649495.tif 000002
【図２】
0005649495.tif 000003